(57)【要約】【課題】建設工事現場等の地下ピットへの作業者の昇降手段となる昇降用梯子を、地下ピットの山留め材等の固定物を利用して固定できるようにし、作業者の安全を図ることができる昇降用梯子固定金具を提供する。【解決手段】本体部３に、現場の固定物４０に取り外し可能に固着する固着手段２と、昇降用梯子３０を取り外し可能に保持する保持手段４とを備える。【選択図】図１
2011032762.tif 000002
【特許請求の範囲】
【請求項１】
本体部に、現場の固定物に取り外し可能に固着する固着手段と、昇降用梯子を取り外し可能に保持する保持手段とを備えたことを特徴とする昇降梯子固定金具。
【請求項２】
前記保持手段を、前記本体部の左右方向に位置して昇降用梯子の脚を保持する脚保持部材を設けるとともに、該一対の脚保持部材の相互の左右方向の間隔を調節できる左右幅調節手段を設けて構成したことを特徴とする請求項１記載の昇降梯子固定金具。
【請求項３】
前記保持手段に、昇降用梯子が前方へ抜け外れることを防止する抜け止め部材を設けるとともに、該抜け止め部材の装着位置を前後方向に調節できる前後幅調節手段を設けたことを特徴とする請求項１又は２記載の昇降梯子固定金具。
【請求項４】
前記左右幅調節手段を、前記本体部に形成されて、前記脚保持部材を左右方向に案内するガイドレール部と、本体部の両側部に設けた左右方向の第１長穴と第２長穴に前記脚保持部材を係止させて構成したことを特徴とする請求項２又は３記載の昇降梯子固定金具。
【請求項５】
前記各脚保持部材を、昇降用梯子の各脚の両側に位置する右板と左板を設けるとともに、これら両板の間に形成した挟持空間の前方を開口して構成し、前記前後幅調節手段を、前記右板と左板の先部に前後方向の第３長穴を設け、該第３長穴に前記抜け止め部材を係止させて構成したことを特徴とする請求項３又は４記載の昇降梯子固定金具。
【発明の詳細な説明】
【技術分野】
【０００１】
本発明は昇降梯子固定金具に関する。
【背景技術】
【０００２】
従来、建設工事現場等の地下ピットで作業を行う際に、作業者の地下ピットへの昇降手段として昇降用梯子が使用されている。
【０００３】
該昇降用梯子は地下ピットの底面より地上面に向けて起立して設置されるもので、この起立状態を固定する手段として、従来、単管をピット上部の地上部分に打ち込んで固定し、該単管を地上部分から上方に突出させ、この単管に前記昇降用梯子を番線で結束して固定していた。
【０００４】
しかし、番線での固定では、単管と昇降用梯子との結束力が弱く、番線の緩み等で昇降用梯子がズレることがあり、昇降用梯子が不安定になる問題があった。
【発明の概要】
【発明が解決しようとする課題】
【０００５】
そこで本発明は、地下ピットの山留め材等の固定物を利用して昇降用梯子を固定できるようにし、作業者の安全を図ることができる昇降用梯子固定金具を提供することを目的とする。
【課題を解決するための手段】
【０００６】
前記の課題を解決するために、請求項１記載の発明は、本体部に、現場の固定物に取り外し可能に固着する固着手段と、昇降用梯子を取り外し可能に保持する保持手段とを備えたことを特徴とするものである。
【０００７】
請求項２記載の発明は、請求項１記載の発明において、前記保持手段を、前記本体部の左右方向に位置して昇降用梯子の脚を保持する脚保持部材を設けるとともに、該一対の脚保持部材の相互の左右方向の間隔を調節できる左右幅調節手段を設けて構成したことを特徴とするものである。
【０００８】
請求項３記載の発明は、請求項１又は２記載の発明において、前記保持手段に、昇降用梯子が前方へ抜け外れることを防止する抜け止め部材を設けるとともに、該抜け止め部材の装着位置を前後方向に調節できる前後幅調節手段を設けたことを特徴とするものである。
【０００９】
請求項４記載の発明は、請求項２又は３記載の発明において、前記左右幅調節手段を、前記本体部に形成されて、前記脚保持部材を左右方向に案内するガイドレール部と、本体部の両側部に設けた左右方向の第１長穴と第２長穴に前記脚保持部材を係止させて構成したことを特徴とするものである。
【００１０】
請求項５記載の発明は、請求項３又は４記載の発明において、前記各脚保持部材を、昇降用梯子の各脚の両側に位置する右板と左板を設けるとともに、これら両板の間に形成した挟持空間の前方を開口して構成し、前記前後幅調節手段を、前記右板と左板の先部に前後方向の第３長穴を設け、該第３長穴に前記抜け止め部材を係止させて構成したことを特徴とするものである。
【発明の効果】
【００１１】
請求項１記載の発明によれば、本体部を固着手段で現場の固定物である山留め材などに固着し、昇降用梯子を保持手段により本体部に保持させることができることから、昇降用梯子の起立状態を強固に保持でき、昇降梯子の使用時におけるズレ等でを防止して、作業者の地下ピット等からの昇降の安全性を図ることができる。
【００１２】
請求項２記載の発明によれば、脚の相互の間隔が異なる種々の昇降用梯子においても、適宜適応させることができる。
【００１３】
請求項３記載の発明によれば、前後幅調節手段により、脚の前後幅が異なる昇降用梯子にも対応でき、かつ、昇降用梯子の起立傾斜角が異なる場合にも対応できる。
【００１４】
請求項４記載の発明によれば、ガイドレールによって脚保持部材の回転を防止し、昇降用梯子の安定を図り、かつ、脚保持部材の左右方向の調節も容易になる。
【００１５】
請求項５記載の発明によれば、昇降用梯子の脚を、保持部材の前方から容易に保持部材へ挿入でき、かつ、抜け止め部材で、挿入した脚の外脱を阻止できる。
【図面の簡単な説明】
【００１６】
【図１】本発明の実施例における昇降梯子固定金具を山留め材に設置し、これに昇降用梯子を装着した状態を示す斜視図。
【図２】図１のＥ−Ｅ線断面図。
【図３】本発明の実施例における昇降梯子固定金具を山留め材に設置した斜視図。
【図４】本発明の実施例における昇降梯子固定金具を示す側面図。
【図５】図４の平面図。
【図６】図４の後面図。
【発明を実施するための形態】
【００１７】
本発明を実施するための形態を図１乃至図６に示す実施例に基づいて説明する。
図１は、本発明の昇降梯子固定金具１の実施例を示すもので、建築現場や土木現場（以下現場という）の固定物である山留め鋼材４０に昇降梯子固定金具１を固定し、これに昇降用梯子３０を保持させた状態を示す斜視図で、図２はそのＥ−Ｅ線断面図である。
【００１８】
昇降梯子固定金具１は、図１，２に示すように、固着手段である固着部材２と、本体部３と、昇降用梯子３０の保持手段である脚保持部材４からなり、本体部３の後面側に固着部材２が設けられ、本体部３の前面側に脚保持部材４が設けられている。本実施例では、本体部３に対し、固着部材２側を後面側Ａ、脚保持部材４側を前面側Ｂ、左側をＣ、右側をＤとして説明する。
【００１９】
図３乃至５に示すように、固着部材２は基部５とクランプ部６からなり、基部５は、基板５ａと両側板５ｂとで平面視が、後方が開口するコ字状に形成され、その基板５ａが本体部３と溶接等で一体的に接合され、該基部５に設けられた回転軸７を軸として、クランプ部６が、前記両側板５ｂ、５ｂ内において上下方向に回動可能に連結されている。
【００２０】
前記クランプ部６には挟持ボルト８が備えられており、図２に示すように、クランプ部６を後方へ倒し、クランプ部６に固設した挟持片６ａと挟持ボルト８間に前記山留め鋼材（Ｈ鋼やシートパイル）４０等の上端を介在させて、該挟持ボルト８を締め付けることにより、挟持片６ａと挟持ボルト８で前記山留め鋼材４０の上端部を挟持できるようになっている。
【００２１】
前記本体部３は、図３に示すように、水平方向に長い長尺な基板１０と、該基板１０の上端から基板１０と直交して前面側Ｂに突出する上板１１と、前記基板１０の下端から基板１０と直交して前面側Ｂに突出する下板１２からなり、これらが左右方向（Ｃ−Ｄ方向）全域に亘って一体成形されてガイドレール部１３を構成している。
【００２２】
なお、図５に示すように、前記本体部３の左右端間の寸法Ｄ１は、図１に示すように、昇降用梯子３０の両側端間の幅Ｄ２より長尺に設定されている。
【００２３】
また、図６に示すように、前記固着部材２の接合位置は、本体部３の左右方向における略中央部に設定されている。
【００２４】
前記基板１０の両端部には、図６に示すように、左右方向（Ｃ−Ｄ方向）を長手方向とする左右幅調節手段である第１長穴１５と第２長穴１６が夫々形成され、この第１長穴１５と第２長穴１６に後述するスタッドボルト２３，２３が、左右方向において摺動可能に挿通できるようになっている。
【００２５】
図３に示すように、本体部３の前面側Ｂには、前記の第１長穴１５と第２長穴１６の前面側Ｂに位置して脚保持部材４，４が左右方向に摺動可能に夫々取付けられている。
【００２６】
前記一対の脚保持部材４，４は、夫々固定用基板２０と、該固定基板２０の右端から固定基板２０と直交して前面側Ｂに突出した右板２１と、固定基板２０の左端から固定基板２０と直交して前面側Ｂに突出した左板２２とからなり、右板２１と左板２２は、これらの間に、上下と前側が開口する挟持空間４Ａが形成されるように、相互に平行して形成されている。
【００２７】
これら固定基板２０と右板２１と左板２２は、その上下幅を上板１１と下板１２の内のり寸法Ｄ３と略同一に設定され、上板１１と下板１２間の開口部よりガイドレール部１３内に挿入でき、かつ、摺動可能になっている。
【００２８】
前記固定基板２０の後側面には、図４に示すように、脚保持部材４，４の後側方向に突出するスタッドボルト２３，２３が溶着され、該スタッドボルト２３，２３を前記第１長穴１５及び第２長穴１６に前面側Ｂから挿通して、これにナット２４，２４を締め付けることにより、脚保持部材４，４をガイドレール部１３内において、左右方向（Ｃ−Ｄ方向）に摺動可能に装着されるとともに、その所望の位置を保持することができるようになっている。
【００２９】
前記右板２１と左板２２の前後方向（Ａ−Ｂ方向）における長さの寸法Ｄ４は、図２に示すように、昇降用梯子３０の脚３１、３１における前後方向（Ａ−Ｂ方向）の幅Ｄ５より長尺に設定され、更に、図１，５に示すように、右板２１と左板２２との挟持空間４Ａの内のり寸法Ｄ６は、昇降用梯子３０の脚３１，３１の左右方向（Ｃ−Ｄ方向）の幅Ｄ７より広く設定されている。
【００３０】
図３に示すように、前記右板２１と左板２２の先端部、すなわち、前面側Ｂ方向に突設された先端部付近には、前後幅調節手段である第３長穴２５，２５がそれぞれ前後方向（Ａ−Ｂ方向）を長手方向として貫通形成され、右板２１側の第３長穴２５と左板２２側の第３長穴２５は左右方向において、相互の位置が重なるように対峙している。
【００３１】
この第３長穴２５，２５には、抜け止め部材である抜け止めボルト２６が、第３長穴２５，２５内を前後方向（Ａ−Ｂ方向）に摺動可能に挿通されるとともに、該抜け止めボルト２６にナット２６ａを締め付けることにより、その抜け止めボルト２６の所望の位置を保持することができるようになっている。
【００３２】
なお、左右に一対設置される脚保持部材４，４の各部の説明については、双方同一であるため、同一部分には同一符号を付してその説明を省略する。
【００３３】
次に使用状態について説明する。
なお、図１，図２において、山留め鋼材４０としてＨ鋼を用い、これに横矢板４１が嵌合されている。  
【００３４】
まず、図４に示すように、昇降梯子固定金具１の固着部材２における起立した状態のクランプ部６（挟持ボルト８）を倒し、図２，３に示すように、該挟持ボルト８と挟持片６ａ間に、地下ピットの山留め鋼材４０における上端部を入れ、クランプ部６の挟持ボルト８を締め付けて、挟持ボルト８と挟持片６ａによって昇降梯子固定金具１を山留め鋼材４０の上端部に固着する。なお、この時点では、抜け止めボルト２６は装着されていない。
【００３５】
次に、図２に示すように、昇降用梯子３０の脚３１，３１を地下ピットの底面に起立させ、その上部を前記の昇降梯子固定金具１に向って傾倒させる。
【００３６】
このとき、図１に示すように、両脚保持部材４，４の挟持空間４Ａ，４Ａが昇降用梯子３０の脚３１，３１に位置するように、スタッドボルト２３、２３の位置を第１長穴１５と第２長穴１６内において移動して、脚保持部材４，４の位置を調節し、挟持空間４Ａ内に、その前側の開口部から昇降用梯子３０の脚３１，３１を挿入させる。
【００３７】
その後、抜け止めボルト２６、２６を昇降用梯子３０の前面側Ｂにおいて、第３長穴２５，２５に挿通させるとともに、該抜け止めボルト２６、２６の側面を昇降用梯子３０の脚３１，３１の前面に当接させ、その位置において抜け止めボルト２６、２６をナット２６ａで固定する。これにより、昇降用梯子３０の脚３１は、その後面が本体部３に当り、前面が抜け止めボルト２６に当って支持される。
【００３８】
以上により、昇降用梯子３０が昇降梯子固定金具１を介して山留め鋼材４０に固定保持される。
【００３９】
なお、昇降用梯子３０を外す場合は、上記と逆の作業で行う。
前記の構成により本発明によれば、昇降用梯子３０を山留め鋼材４０（Ｈ鋼やシートパイル）に強固に、かつ、容易に固設できる。
【００４０】
また、昇降用梯子３０の使用時におけるズレ等を防止し、作業者の昇降時の安全性を確保できる。
【００４１】
また、第１長穴１５と第２長穴１６により脚保持部材４，４を左右方向に移動調節可能に設けたことから、脚３１，３１の相互の間隔が異なる種々の昇降用梯子３０においても、対応させることができる。
【００４２】
更に、上板１１と下板１２によりガイドレール部１３を構成したことから、前記脚保持部材４，４の左右方向における固定位置を直線上に保持できるほか、脚保持部材４，４の右板２１，２１と左板２２，２２を回転しないように保つことができ、かつ、右板２１，２１及び左板２２，２２の垂直姿勢を確保して脚３１，３１を容易に挟持空間４Ａに挿入でき、かつ、脚３１の左右方向の傾きも防止できる。
【００４３】
更に、該抜け止めボルト２６、２６を第３長穴２５，２５に摺動可能に設けたことから、脚３１，３１の前後方向（Ａ−Ｂ方向）の幅が異なる種々の昇降用梯子３０においても、適宜適応させることができるとともに、昇降用梯子３０の起立時の傾倒角度が変化して、挟持空間４Ａ，４Ａ内での前後方法（Ａ−Ｂ方向）の幅が拡大、縮小したとしても、その幅に合わせて調節することができる。
【００４４】
また、本発明において、仮に昇降用梯子３０における脚３１，３１の底面が前面側Ｂへ移動して、昇降用梯子３０が下降することがあっても、昇降用梯子３０のステップが脚保持部材４，４に係止して、その下降を阻止することができる。
【００４５】
なお、前記実施例は、現場の固定物をＨ鋼やシートパイルなどの山留め鋼材としたが、この固定物はその他の山留め材であってもよい。
【００４６】
なお、本実施例では、固着部材２をクランプとしたが、これをキャッチクランプ等の適宜な固着部材を用い、山留め材の種類に合わせるようにしてもよい。また、現場に設けられた単管に固着するようにしてもよい。
【００４７】
また、固着部材２を選択することにより、本発明は地下ピットだけでなく土木における法面に昇降用梯子を設ける場合にも適用でき、建築や土木の現場に使用できるものである。
【符号の説明】
【００４８】
１  昇降梯子固定金具
２  固着手段
３  本体部
４  脚保持部材（保持手段）
４Ａ  挟持空間
１３  ガイドレール部
１５  第１長穴（左右幅調節手段）
１６  第２長穴（左右幅調節手段）
２１  右板
２２  左板
２５  第３長穴（前後幅調節手段）
２６  抜け止め部材（抜け止めボルト）
３０  昇降用梯子
３１  脚
４０  山留め鋼材（現場の固定物）
【図１】
2011032762.tif 000003
【図２】
2011032762.tif 000004
【図３】
2011032762.tif 000005
【図４】
2011032762.tif 000006
【図５】
2011032762.tif 000007
【図６】
2011032762.tif 000008